(57)【要約】【課題】  閲覧速度を向上でき、便利であるネット上で出版物の閲覧を提供する方法を提供する。【解決手段】  ステップＡは、サーバーとユーザー端とを設置し、サーバーには出版物の電子ファイルが保存してある。ステップＢは、ユーザー端とサーバーとの間のオンラインの帯域幅を決める。ステップＣは、ユーザー端が出版物の頁を選択する。ステップＤは、サーバーが前記ステップで決められた帯域幅によって転送の解像度を決め、選択された頁に対応する電子ファイルをユーザー端に転送する。ステップＥは、ユーザー端が読みたい出版物の頁を確定する。ステップＦは、サーバーがユーザー端に最高解像度の電子ファイルを転送して詳細な閲覧を提供する。ユーザー端の帯域幅に対応して低解像度の出版物の頁を転送してすばやく閲覧させ、読みたい頁に対応する最高解像度のものを転送する。【選択図】    図１
2006252370.tif 000002
【特許請求の範囲】
【請求項１】
サーバーと少なくとも一つのユーザー端末とを設置し、サーバーには出版物の全ての頁に対応する電子ファイルが保存してあり、全ての頁は高いものから低いものまで少なくとも２種以上の解像度を有する同内容の電子ファイルを有し、高解像度の電子ファイルのバイト数は大きく、低解像度の電子ファイルのバイト数は小さく設定するステップＡと、
ユーザー端末とサーバーとの間のオンラインの帯域幅を決めるステップＢと、
ユーザー端末がネット上で読みたい出版物の頁を選択するステップＣと、
サーバーが前記ステップで決められた帯域幅によって転送の解像度を決め、選択された頁に対応する電子ファイルをユーザー端末に転送し、転送する際に、帯域幅の大きいユーザー端末に高解像度の電子ファイル、帯域幅の小さいユーザー端末に低解像度の電子ファイルを転送するステップＤと、
ユーザー端末がネット上で読みたい出版物の頁を確定するステップＥと、
サーバーがユーザー端末に最高解像度の電子ファイルを転送して詳細な閲覧を提供するステップＦとを含み、
ユーザー端末の帯域幅に対応して低解像度の出版物の頁を転送してすばやく閲覧させ、読みたい頁が決められると、これに対応する最高解像度のものを転送し、詳細に閲読させることが可能であることを特徴とするネット上で出版物の閲覧を提供する方法。
【請求項２】
電子ファイルは、画像ファイルまたは文字ファイルであることを特徴とする請求項１に記載のネット上で出版物の閲覧を提供する方法。
【請求項３】
ステップＢは、サーバーによりユーザー端末のオンラインでの帯域幅を自動検知することを特徴とする請求項１に記載のネット上で出版物の閲覧を提供する方法。
【請求項４】
ユーザー端のオンラインでの帯域幅を自動検知する方法は、ユーザー端末から一定の時間内に何キロバイト（Ｋbytes）のパケットが転送されるかを検知することで、オンラインでの帯域幅を算出する方法であることを特徴とする請求項３に記載のネット上で出版物の閲覧を提供する方法。
【請求項５】
ステップＢは、ユーザー端末により手動で帯域幅を選択することを特徴する請求項１に記載のネット上で出版物の閲覧を提供する方法。
【発明の詳細な説明】
【技術分野】
【０００１】
本発明は、ネット上で出版物の情報を転送する技術に関し、詳しく言えば、ユーザー端末の帯域幅を判断することで、すばやい閲覧効果を果たすことが可能であるネット上で出版物の閲覧を提供する方法に関するものである。
【背景技術】
【０００２】
インターネットは、現代社会に欠かせない技術だとされている。われわれの社会では、インターネットにより様々な仕事をしたり、所要の情報を検索、閲覧したりすることが当たり前になっている。
【０００３】
インターネット上で提供される書籍、インフォメーションまたはカタログなどの出版物の制作方法は、これらの出版物のすべての内容をスキャニングして電子ファイルに変換して保存する方法である。また、ユーザーに明晰な画像を提供するために、電子ファイルを高解像度に設定する必要がある。しかし、高解像度の画像ファイルそのものが極めて大きいため、帯域幅が限られるインターネット下では転送しにくくなり、特に、帯域幅の狭いユーザーにとって不利になる。
【０００４】
ネット上で読みたい出版物が見付かった時、読みたい頁を速く見付けようと思うことは当然であるが、一部の出版物の全部から読みたい頁を探さなければならない。そして、検索過程では、ダウンロードして、そして、ダウンロードした頁が読みたい頁であるかどうかを確認する必要がある。読みたい頁ではない場合、次の頁を検索し続けなければならない。そうすると、ユーザーの時間をかなり無駄にするだけではなく、帯域幅の狭いユーザーにとっては不利になる。
【発明の開示】
【発明が解決しようとする課題】
【０００５】
本発明の主な目的は、ユーザー端末の帯域幅を判断し、ユーザー端末に適当な解像度の電子ファイルを転送して閲覧させ、ユーザー端末から読みたい頁が確定されると、これに対応する最高解像度の電子ファイルをユーザー端末に転送して詳細な閲読を提供することが可能であるネット上で出版物の閲覧を提供する方法を提供することにある。
本発明のもう一つの目的は、閲覧速度を高めることが可能であるネット上で出版物の閲覧を提供する方法を提供することにある。
【課題を解決するための手段】
【０００６】
上述の目的を達成するために、本発明によるネット上で出版物の閲覧を提供する方法は、下記のステップを含む。ステップＡは、サーバーと少なくとも一つのユーザー端末とを設置することであり、そのうちのサーバーには出版物の全ての頁に対応するする電子ファイルが保存してあり、全ての頁は高いものから低いものまで少なくとも２種以上の解像度を有する同内容の電子ファイルを有し、そのうちの高解像度の電子ファイルのバイト数は大きく、低解像度の電子ファイルのバイト数は小さい。ステップＢは、ユーザー端末とサーバーとの間のオンラインの帯域幅を決めることである。ステップＣは、ユーザー端末がネット上で読みたい出版物の頁を選択することである。ステップＤは、サーバーが前記のステップで決められた帯域幅によって転送の解像度を決め、かつ選択された頁に対応する電子ファイルをユーザー端末に転送し、転送する際に、帯域幅の大きいユーザー端末に高解像度の電子ファイル、帯域幅の小さいユーザー端末に低解像度の電子ファイルを転送することである。ステップＥは、ユーザー端末がネット上で読みたい出版物の頁を確定することである。ステップＦは、サーバーがユーザー端末に最高解像度の電子ファイルを転送して、詳細な閲覧を提供することである。上述のステップにより、ユーザー端末の帯域幅に対応して低解像度の出版物の頁を転送してすばやく閲覧させ、読みたい頁が決められると、これに対応する最高解像度のものを転送して、詳細な閲読を提供することが可能である。
【発明を実施するための最良の形態】
【０００７】
以下、本発明の構造と特徴を実施例と図面に基づいて説明する。
図１に示すように、本発明の一実施例によるネット上で出版物の閲覧を提供する方法は、下記のステップを含む。
【０００８】
ステップＡは、サーバーと少なくとも一つのユーザー端末とを設置することであり、そのうちのサーバーには出版物の全ての頁に対応するする電子ファイルが保存してあり、電子ファイルは画像ファイル、文字ファイルまたは画像と文字を表示するファイルであり、また、そのうちの全ての頁は高いものから低いものまで少なくとも２種以上の解像度を有する同内容の電子ファイルを有する。解像度は、低いものと高いもの、低いものと中間のものと高いもの、または、低いものと中低のものと中高のものと高いものなどに分類され、必要に応じて決められる。そのうちの高解像度の電子ファイルのバイト数は大きく（即ち、ファイルが大きく）、低解像度の電子ファイルのバイト数は小さい（ファイルが小さい）。
【０００９】
ステップＢは、ユーザー端末とサーバーとの間のオンラインの帯域幅を決めることである。決める方法は、サーバーによりユーザー端末のオンラインでの帯域幅を自動検知するか、ユーザー端末により手動で選択することで、帯域幅を決める方法である。また、ユーザー端末のオンラインでの帯域幅を自動検知する方法は、帯域幅を識別する技術（band-width  aware）でユーザー端末から一定の時間内に何キロバイト（Ｋbytes）のパケットが転送されるかを検知することで、オンラインでの帯域幅を算出することである。
【００１０】
ステップＣは、ユーザー端末がネット上で読みたい出版物の頁を選択することである。
ステップＤは、サーバーが前記ステップＢで決められた帯域幅によって転送の解像度を決め、かつ選択された頁の電子ファイルをユーザー端末に転送し、転送する際に帯域幅の大きいユーザー端末に高解像度の電子ファイル、帯域幅の小さいユーザー端末に低解像度の電子ファイルを転送することである。
【００１１】
ステップＥは、ユーザー端末がネット上で読みたい出版物の頁を確定することである。
ステップＦは、サーバーがユーザー端末に最高解像度の電子ファイルを転送して、詳細な閲覧を提供することである。
【００１２】
上述のステップにより、ユーザー端末の帯域幅に対応して低解像度の出版物の頁を転送してすばやく閲覧させ、読みたい頁が確定されると、これに対応する最高解像度のものを転送して、詳細な閲読を提供することが可能である。
【００１３】
実際に本実施例を実行する場合、まずユーザー端末の帯域幅を識別する。ユーザー端末の帯域幅が小さい場合、まずユーザー端末に低解像度の電子ファイルを転送して閲覧させる。ユーザー端末の帯域幅が大きい場合、直接ユーザー端末に最高解像度の画像ファイルを転送して、詳細に閲読させることが可能である。その結果、ユーザーのダウンロードにかかる時間を縮減し、閲覧の速度を高めることが可能である。
【００１４】
本発明は、大多数のユーザー端末の帯域幅が比較的小さいという現状下で、出版物の閲覧に便利な方法を提供するため、周知のネット上で出版物を閲覧する速度が遅く、手間がかかるという問題を解決することが可能である。
【図面の簡単な説明】
【００１５】
【図１】本発明の一実施例によるネット上で出版物の閲覧を提供する方法のプロセスを示す模式図である。
【図１】
2006252370.tif 000003